(57)【要約】【課題】  コミュニティの生成を容易に行い、更にメンバーの管理を高精度に行う。【解決手段】  利用者が通信ネットワークを介してコミュニティを利用するための利用者端末と、前記利用者端末からの要求によりコミュニティの生成、管理を行うコミュニティサーバとからなるコミュニティ管理システムにおいて、前記コミュニティサーバは、前記利用者端末を使用する利用者を認証するための認証手段と、前記認証手段により得られる利用者情報の権限によりコミュニティを生成又は管理するための画面を生成し、前記利用者端末に表示するコミュニティ管理手段と、前記コミュニティ管理手段により生成されたコミュニティに属するメンバーを管理するメンバー管理手段と、前記コミュニティ管理手段及び前記メンバー管理手段により得られる各種情報を蓄積する蓄積手段とを有することにより、上記課題を解決する。【選択図】  図１
2006107282.tif 000002
【特許請求の範囲】
【請求項１】
利用者が通信ネットワークを介してコミュニティを利用するための利用者端末と、前記利用者端末からの要求によりコミュニティの生成、管理を行うコミュニティサーバとからなるコミュニティ管理システムにおいて、
前記コミュニティサーバは、前記利用者端末を使用する利用者を認証するための認証手段と、
前記認証手段により得られる利用者情報の権限によりコミュニティを生成又は管理するための画面を生成し、前記利用者端末に表示するコミュニティ管理手段と、
前記コミュニティ管理手段により生成されたコミュニティに属するメンバーを管理するメンバー管理手段と、
前記コミュニティ管理手段及び前記メンバー管理手段により得られる各種情報を蓄積する蓄積手段とを有することを特徴とするコミュニティ管理システム。
【請求項２】
前記メンバー管理手段は、
前記通信ネットワーク上に接続される従業員マスタを参照して得られる従業員情報と、前記蓄積手段に蓄積されたメンバー情報とを照合して異なる情報が存在する場合、前記利用者情報の権限に基づいて前記利用者端末に対象となるメンバー情報をアラート表示することを特徴とする請求項１に記載のコミュニティ管理システム。
【請求項３】
前記コミュニティ管理手段は、
前記コミュニティにメンバーを設定する場合に、カテゴリ毎にグループ分けを行い、グループ分けされたメンバー毎に電子メールの送信の有無を設定することを特徴とする請求項１又は２に記載のコミュニティ管理システム。
【請求項４】
通信ネットワークを介して利用者端末からの要求を取得し、取得した要求内容からコミュニティの生成、管理を行うコミュニティサーバにおいて、
前記利用者端末を使用する利用者を認証するための認証手段と、
前記認証手段により得られる利用者情報の権限によりコミュニティを生成又は管理するための画面を生成し、前記利用者端末に表示するコミュニティ管理手段と、
前記コミュニティ管理手段により生成されたコミュニティに属するメンバーを管理するメンバー管理手段と、
前記コミュニティ管理手段及び前記メンバー管理手段により得られる各種情報を蓄積する蓄積手段とを有することを特徴とするコミュニティサーバ。
【請求項５】
前記メンバー管理手段は、
前記通信ネットワーク上に接続される従業員マスタを参照して得られる従業員情報と、前記蓄積手段に蓄積されたメンバー情報とを照合して異なる情報が存在する場合、前記利用者情報の権限に基づいて前記利用者端末に対象となるメンバー情報をアラート表示することを特徴とする請求項４に記載のコミュニティサーバ。
【請求項６】
通信ネットワークを介して利用者端末からの要求を取得し、取得した要求内容からコミュニティの生成、管理を行うコミュニティ管理方法において、
前記利用者端末を使用する利用者を認証するための認証段階と、
前記認証段階により得られる利用者情報の権限によりコミュニティを生成又は管理するための画面を生成し、前記利用者端末に表示するコミュニティ管理段階と、
前記コミュニティ管理段階により生成されたコミュニティに属するメンバーを管理するメンバー管理段階と、
前記コミュニティ管理段階及び前記メンバー管理段階により得られる各種情報を蓄積する蓄積段階とを有することを特徴とするコミュニティ管理方法。
【請求項７】
前記メンバー管理段階は、
前記通信ネットワーク上に接続される従業員マスタを参照して得られる従業員情報と、前記蓄積段階により蓄積されたメンバー情報とを照合して異なる情報が存在する場合、前記利用者情報の権限に基づいて前記利用者端末に対象となるメンバー情報をアラート表示することを特徴とする請求項６に記載のコミュニティ管理方法。
【請求項８】
通信ネットワークを介して利用者端末からの要求を取得し、取得した要求内容からコミュニティの生成、管理を行う処理をコンピュータに実行させるためのコミュニティ管理プログラムにおいて、
前記利用者端末を使用する利用者を認証するための認証処理と、
前記認証段階により得られる利用者情報の権限によりコミュニティを生成又は管理するための画面を生成し、前記利用者端末に表示するコミュニティ管理処理と、
前記通信ネットワーク上に接続される従業員マスタを参照して得られる従業員情報と、前記予め蓄積されたメンバー情報とを照合し、異なる情報が存在する場合に前記利用者情報の権限に基づいて前記利用者端末に対象となるメンバー情報をアラート表示するメンバー管理処理とコンピュータに実行させるためのコミュニティ管理プログラム。
【発明の詳細な説明】
【技術分野】
【０００１】
本発明は、コミュニティ管理システム、コミュニティサーバ、コミュニティ管理方法、及びコミュニティ管理プログラムに係り、特に、コミュニティの生成を容易に行うことができ、更に、メンバーの管理を高精度に行うことができるコミュニティ管理システム、コミュニティサーバ、コミュニティ管理方法、及びコミュニティ管理プログラムに関する。
【背景技術】
【０００２】
従来から、インターネット上にて同じ趣向を持つユーザ同士がコミュニティを形成し、そのコミュニティ内で情報交換等を行っている。また、このようなコミュニティでは、会員間で掲示板や同報メール機能等によりリソース（資源情報）の共有を行っている。
【０００３】
一方、企業内においては、グループウェアという呼称によりコミュニティを同様のサービスの提供を行っている。
【０００４】
このようなコミュニティの生成手法としては、インターネットを介して電子メールで情報を交換するコミュニティの生成に関して、ホームページやメーリングリストの生成に要する時間を削減することが可能な電子コミュニティ管理方法等がある（例えば、特許文献１参照。）。
【０００５】
特許文献１では、利用者端末からＷＷＷ（Ｗｏｒｌｄ  Ｗｉｄｅ  Ｗｅｂ）ブラウザを介してメールアドレスからなるメーリングリスト生成情報が入力されると、サーバがメーリングリスト情報に基づいてメーリングリストを生成し、利用者端末に通知する。また同様に利用者端末からホームページ生成情報が入力されると、ホームページ生成情報に基づいてホームページを生成するものである。
【特許文献１】特開平１１−１１２５５２号公報
【発明の開示】
【発明が解決しようとする課題】
【０００６】
しかしながら、上述した従来の方法ではコミュニティを生成するために、その都度システム管理者に依頼する必要があり、コストや時間がかかってしまう。また、管理者の作業には専門知識やシステム操作の権限等が必要であり、コミュニティを生成したい利用者自身では、コミュニティの生成作業ができず、特定の作業者に稼動が集中してしまう。
【０００７】
また、コミュニティの管理者にとってはメンバーの管理が重要であり、例えば人事異動等により、ある人をコミュニティのメンバーから外したり、新たにメンバーを追加したりする更新作業が必要となる。この場合、人事異動の多い企業のコミュニティを管理する人は頻繁に更新作業が必要になるため、更新を忘れたり、更新内容を間違えてしまう等の問題が生じる。
【０００８】
本発明は、上記の問題点に鑑みてなされたものであって、簡単な操作によりコミュニティの生成を容易に行うことができ、またメンバーの登録や変更等のメンバーの管理を高精度に行うことができるコミュニティ管理システム、コミュニティサーバ、コミュニティ管理方法、及びコミュニティ管理プログラムを提供することを目的とする。
【課題を解決するための手段】
【０００９】
上記課題を解決するために、本件発明は、以下の特徴を有する課題を解決するための手段を採用している。
【００１０】
請求項１に記載された発明は、利用者が通信ネットワークを介してコミュニティを利用するための利用者端末と、前記利用者端末からの要求によりコミュニティの生成、管理を行うコミュニティサーバとからなるコミュニティ管理システムにおいて、前記コミュニティサーバは、前記利用者端末を使用する利用者を認証するための認証手段と、前記認証手段により得られる利用者情報の権限によりコミュニティを生成又は管理するための画面を生成し、前記利用者端末に表示するコミュニティ管理手段と、前記コミュニティ管理手段により生成されたコミュニティに属するメンバーを管理するメンバー管理手段と、前記コミュニティ管理手段及び前記メンバー管理手段により得られる各種情報を蓄積する蓄積手段とを有することを特徴とする。
【００１１】
請求項１記載の発明によれば、コミュニティの生成を容易に行うことができ、更に、メンバーの管理を高精度に行うことができる。
【００１２】
請求項２に記載された発明は、前記メンバー管理手段は、前記通信ネットワーク上に接続される従業員マスタを参照して得られる従業員情報と、前記蓄積手段に蓄積されたメンバー情報とを照合して異なる情報が存在する場合、前記利用者情報の権限に基づいて前記利用者端末に対象となるメンバー情報をアラート表示することを特徴とする。
【００１３】
請求項２記載の発明によれば、コミュニティのメンバーに人事異動等があった場合に、変更等の処理を容易に把握することができるため、迅速で高精度にメンバーの管理を実現することができる。
【００１４】
請求項３に記載された発明は、前記コミュニティ管理手段は、前記コミュニティにメンバーを設定する場合に、カテゴリ毎にグループ分けを行い、グループ分けされたメンバー毎に電子メールの送信の有無を設定することを特徴とする。
【００１５】
請求項３記載の発明によれば、メンバー毎に適したコミュニティを提供することができる。また、メンバーの管理を高精度に行うことができる。
【００１６】
請求項４に記載された発明は、通信ネットワークを介して利用者端末からの要求を取得し、取得した要求内容からコミュニティの生成、管理を行うコミュニティサーバにおいて、
前記利用者端末を使用する利用者を認証するための認証手段と、前記認証手段により得られる利用者情報の権限によりコミュニティを生成又は管理するための画面を生成し、前記利用者端末に表示するコミュニティ管理手段と、前記コミュニティ管理手段により生成されたコミュニティに属するメンバーを管理するメンバー管理手段と、前記コミュニティ管理手段及び前記メンバー管理手段により得られる各種情報を蓄積する蓄積手段とを有することを特徴とする。
【００１７】
請求項４記載の発明によれば、コミュニティの生成を容易に行うことができ、更に、メンバーの管理を高精度に行うことができる。
【００１８】
請求項５に記載された発明は、前記メンバー管理手段は、前記通信ネットワーク上に接続される従業員マスタを参照して得られる従業員情報と、前記蓄積手段に蓄積されたメンバー情報とを照合して異なる情報が存在する場合、前記利用者情報の権限に基づいて前記利用者端末に対象となるメンバー情報をアラート表示することを特徴とする。
【００１９】
請求項５記載の発明によれば、コミュニティのメンバーに人事異動等があった場合に、変更等の処理を容易に把握することができるため、迅速で高精度にメンバーの管理を実現することができる。
【００２０】
請求項６に記載された発明は、通信ネットワークを介して利用者端末からの要求を取得し、取得した要求内容からコミュニティの生成、管理を行うコミュニティ管理方法において、前記利用者端末を使用する利用者を認証するための認証段階と、前記認証段階により得られる利用者情報の権限によりコミュニティを生成又は管理するための画面を生成し、前記利用者端末に表示するコミュニティ管理段階と、前記コミュニティ管理段階により生成されたコミュニティに属するメンバーを管理するメンバー管理段階と、前記コミュニティ管理段階及び前記メンバー管理段階により得られる各種情報を蓄積する蓄積段階とを有することを特徴とする。
【００２１】
請求項６記載の発明によれば、コミュニティの生成を容易に行うことができ、更に、メンバーの管理を高精度に行うことができる。
【００２２】
請求項７に記載された発明は、前記メンバー管理段階は、前記通信ネットワーク上に接続される従業員マスタを参照して得られる従業員情報と、前記蓄積段階により蓄積されたメンバー情報とを照合して異なる情報が存在する場合、前記利用者情報の権限に基づいて前記利用者端末に対象となるメンバー情報をアラート表示することを特徴とする。
【００２３】
請求項７記載の発明によれば、コミュニティのメンバーに人事異動等があった場合に、変更等の処理を容易に把握することができるため、迅速で高精度にメンバーの管理を実現することができる。
【００２４】
請求項８に記載された発明は、通信ネットワークを介して利用者端末からの要求を取得し、取得した要求内容からコミュニティの生成、管理を行う処理をコンピュータに実行させるためのコミュニティ管理プログラムにおいて、前記利用者端末を使用する利用者を認証するための認証処理と、前記認証段階により得られる利用者情報の権限によりコミュニティを生成又は管理するための画面を生成し、前記利用者端末に表示するコミュニティ管理処理と、前記通信ネットワーク上に接続される従業員マスタを参照して得られる従業員情報と、前記予め蓄積されたメンバー情報とを照合し、異なる情報が存在する場合に前記利用者情報の権限に基づいて前記利用者端末に対象となるメンバー情報をアラート表示するメンバー管理処理とコンピュータに実行させる。
【００２５】
請求項８記載の発明によれば、コミュニティの生成を容易に行うことができ、更に、メンバーの管理を高精度に行うことができる。また、メンバー管理処理により、コミュニティのメンバーに人事異動等があった場合に、管理者は変更等の処理を容易に把握することができるため、迅速で高精度にメンバーの管理を実現することができる。更に、プログラムをインストールすることにより、汎用のパーソナルコンピュータ等で本発明におけるコミュニティの生成、管理を容易に実現することができる。
【発明の効果】
【００２６】
本発明によれば、コミュニティの生成を容易に行うことができる。また、メンバーの管理を高精度に行うことができる。
【発明を実施するための最良の形態】
【００２７】
＜本発明の概要＞
本発明は、簡単な登録操作により、部門ホームページや社内プロジェクト活動における情報共有の場を提供する。具体的には、ユーザからのコミュニティの依頼に対して、システム管理者によりコミュニティを生成し、各種設定が終了後は利用メンバー等の運用登録をコミュニティ管理者へと委譲する。
【００２８】
また、コミュニティメンバーの管理については、従業員マスタと連動し、人事異動時にアラート等を表示することで、コミュニティ管理者がメンバーの追加、削除、変更等の処理を正確で迅速に行うことができる。また、コミュニティ管理者における各操作を容易に行うことができる。
【００２９】
なお、本発明において生成されるコミュニティには、メンバー管理機能、同報メール機能、掲示板機能、行事予定表示機能、ライブラリ機能、電子会議室機能、関連リンク表示機能等の機能が含まれる。
【００３０】
以下に、本発明におけるコミュニティ管理システム、コミュニティサーバ、コミュニティ管理方法、及びコミュニティ管理プログラムを好適に実施した形態について、図面を用いて説明する。
【００３１】
＜システム構成＞
図１は、本発明におけるコミュニティ管理システムの概略構成例である。図１に示すコミュニティ管理システム１０は、コミュニティサーバ１１と、少なくとも１以上利用者端末１２−１〜１２−ｎと、従業員マスタ１３とを有するよう構成されており、インターネットやローカルネット等に代表される通信ネットワーク１４により接続されている。
【００３２】
コミュニティサーバ１１は、利用者端末１２からの接続要求に対してユーザ認証を行い、予め設定された利用者情報に対応する権限に基づいて、コミュニティの生成や参照、メンバー管理等を行う。なお、権限としてはコミュニティの生成を行うシステム管理者、生成されたコミュニティを管理するコミュニティ管理者、コミュニティを利用する一般利用者に大別される。
【００３３】
また、コミュニティサーバ１１は、生成されたコミュニティの各種情報を蓄積し、Ｗｅｂサーバとして利用者にコミュニティを公開（提供）する。更に、コミュニティサーバ１１は、コミュニティメンバーの情報も蓄積されており、従業員マスタ１３と照合してコミュニティメンバーに対して人事異動等があった場合には、この情報に基づいてシステム管理者やコミュニティ管理者に情報を通知する。
【００３４】
利用者端末１２は、通信ネットワーク１４を介してコミュニティサーバ１１にアクセスし、利用者の権限に応じてコミュニティの生成や参照等の管理を行う。
【００３５】
ここで、ユーザの権限がシステム管理者用である場合は、コミュニティの生成を依頼する依頼者からの要求に基づいて、コミュニティを生成する。具体的には、Ｗｅｂ上に公開されるコミュニティのインターフェース画面等により設定を行う。なお、コミュニティの生成については、コミュニティサーバ１１により予め設定された画面フォーム（テンプレート）が利用者端末１２の画面に表示され、コミュニティの基本となる機能を選択的に設定することにより、容易で安価に、かつ迅速にコミュニティを生成することができる。なお、コミュニティサーバ１１がシステム管理者用に表示する画面インターフェースの詳細については後述する。
【００３６】
また、ユーザの権限がコミュニティ管理者用である場合は、システム管理者により生成されたコミュニティを管理する。つまり、コミュニティサーバ１１に蓄積されているコミュニティの設定情報等を通信ネットワーク１４を介して参照し、メンバーの登録や変更、削除等のメンバー管理や掲示板の管理等を行う。なお、コミュニティサーバ１１がコミュニティ管理者用に表示する画面インターフェースの詳細については後述する。
【００３７】
また、ユーザの権限が一般利用者である場合は、メンバーであるコミュニティについて会議や予定の確認、掲示板等の使用を行うことができる。なお、コミュニティサーバ１１が一般利用者用に表示される画面インターフェースの詳細については後述する。
【００３８】
また、従業員マスタ１３は、従業員の氏名や所属先、住所、電子メールアドレス等が設定されている。この情報は、企業内の人事部門や総務部門等で管理され、最新の従業員情報を得ることができるものである。コミュニティサーバ１１は、従業員マスタ１３により得られる従業員情報と、コミュニティサーバ１１内のデータベース等を用いてコミュニティにおけるメンバー管理を容易に実現することができる。これにより、コミュニティの生成を迅速で安価に行うことができる。
【００３９】
ここで、上述したコミュニティサーバ１１は、専用の装置構成により制御を行うこともできるが、各機能をコンピュータに実行させることができる実行プログラムを生成し、例えば、汎用のパーソナルコンピュータ、ワークステーション等にプログラムをインストールすることにより、本発明におけるコミュニティ生成、管理を実現することができる。また、コミュニティを利用する利用者端末１１においても、汎用のパーソナルコンピュータ等を用いることができる。
【００４０】
＜ハードウェア構成＞
ここで、本発明におけるコミュニティの生成・管理、及び利用が実現可能なコンピュータのハードウェア構成例について図を用いて説明する。図２は、本発明におけるコミュニティの生成・管理、及び利用が実現可能なハードウェア構成の一例を示す図である。
【００４１】
図２におけるコンピュータ本体には、入力装置２１と、出力装置２２と、ドライブ装置２３と、補助記憶装置２４と、メモリ装置２５と、各種制御を行うＣＰＵ（Ｃｅｎｔｒａｌ  Ｐｒｏｃｅｓｓｉｎｇ  Ｕｎｉｔ）２６と、ネットワーク接続装置２７とを有するよう構成されており、これらはシステムバスＢで相互に接続されている。
【００４２】
入力装置２１は、ユーザが操作するキーボード及びマウス等のポインティングデバイスを有しており、ユーザからのプログラムの実行等、各種操作信号を入力する。出力装置２２は、本発明における処理を行うためのコンピュータ本体を操作するのに必要な各種ウィンドウやデータ等を表示するディスプレイを有し、ＣＰＵ２６が有する制御プログラムによりプログラムの実行経過や結果等を表示することができる。
【００４３】
ここで、本発明において、コンピュータ本体にインストールされる実行プログラムは、例えば、ＣＤ−ＲＯＭ等の記録媒体２８等により提供される。プログラムを記録した記録媒体２８は、ドライブ装置２３にセット可能であり、記録媒体２８に含まれる実行プログラムが、記録媒体２８からドライブ装置２３を介して補助記憶装置２４にインストールされる。
【００４４】
補助記憶装置２４は、ハードディスク等のストレージ手段であり、本発明における実行プログラムや、コンピュータに設けられた制御プログラム等を蓄積し必要に応じて入出力を行うことができる。
【００４５】
ＣＰＵ２６は、ＯＳ（Ｏｐｅｒａｔｉｎｇ  Ｓｙｓｔｅｍ）等の制御プログラム、及びメモリ装置２５により読み出され格納されている実行プログラムに基づいて、各種演算や各ハードウェア構成部とのデータの入出力等、コンピュータ全体の処理を制御して、コミュニティ生成、管理等における各処理を実現することができる。プログラムの実行中に必要な各種情報等は、補助記憶装置２４から取得することができ、また格納することもできる。
【００４６】
ネットワーク接続装置２７は、通信ネットワーク等と接続することにより、実行プログラムを通信ネットワーク１４に接続されている他の端末等から取得したり、プログラムを実行することで得られた実行結果又は本発明における実行プログラム自体を他の端末等に提供することができる。
【００４７】
上述したようなハードウェア構成により、本発明におけるコミュニティの生成・管理、及び利用を実行することができる。次に、コミュニティサーバ１１の機能構成について図を用いて説明する。
【００４８】
図３は、本実施形態におけるコミュニティサーバ１１の機能構成の一例を示す図である。図３に示すコミュニティサーバ１１は、認証手段３１と、コミュニティ管理手段３２と、メンバー管理手段３３と、メール生成手段３４と、掲示板管理手段３５と、予定管理手段３６と、ライブラリ管理手段３７と、関連リンク管理手段３８と、会議室管理手段３９と、データベース（以下、ＤＢという）４０とを有するよう構成されている。
【００４９】
認証手段３１は、利用者端末１２からの接続要求に対して、利用者情報を入力させ、ＤＢ４０に予め登録された利用者情報との照合を行い、照合する場合は、対応する権限に基づいて、コミュニティに関するＷｅｂ画面を利用者端末１２に表示する。
【００５０】
また、コミュニティ管理手段３２は、利用者端末１２から入力される利用者情報に基づくユーザ権限が、システム管理者である場合にコミュニティの生成を管理する。つまり、コミュニティ管理手段３２は、接続された利用者端末１２に対して、コミュニティを容易に生成するための設定登録フォーム（テンプレート）を利用者端末１２の画面に表示させる。システム管理者は、依頼部門等により依頼されたコミュニティの生成依頼要求に基づいて、設定登録フォームにしたがいコミュニティの各種設定を行う。
【００５１】
メンバー管理手段３３は、コミュニティに登録するメンバーの設定等を行う。つまり、コミュニティの管理者等が任意にメンバーを指定することができる。また、メンバーが人事異動した場合に、その内容をＤＢ４０、従業員マスタ１３に基づいて迅速に把握することができ、更に、その内容に基づいてメンバーの削除、追加、変更等の処理を行う。
【００５２】
メール生成手段３４は、コミュニティに登録される各種情報に対して対象メンバーに通知するためのメールを生成する。具体的には、例えば同報メールのように、専用のフォームを利用者端末画面に表示し、送信するメンバーを設定することによりメールを生成し、ＤＢ４０に予め登録されているメンバーのメールアドレス宛てにメールを送信することができる。また、掲示板管理手段３５は、コミュニティメンバー専用の掲示板を提供し、メンバーからの書き込みや閲覧等を行う画面を生成し、利用者端末１２に提供する。
【００５３】
予定管理手段３６は、コミュニティに参加しているメンバーの行事（スケジュール）等を登録、管理する。また、予定管理手段３６は、利用者端末１２からのスケジュールの閲覧要求に対応する予定内容を利用者端末１２の画面に表示させる。
【００５４】
ライブラリ管理手段３７は、メンバー間で共有する情報（文書ファイル、画像ファイル等）を登録、蓄積、管理し、利用者端末１２からの要求に応じて対応する情報を提供する。また、関連リンク管理手段３８は、メンバーに対して関連性の高いＷｅｂページへのリンク集等の設定、表示等を行う。また、会議室管理手段３９は、メンバーに電子会議室の場を提供するものであり、議論の改定をメンバー内で共有可能な掲示板機能として提供する。更に、ＤＢ４０は、コミュニティの生成、管理における各種情報、及びメンバー情報等を蓄積する。
【００５５】
＜データベース構成＞
ここで、上述したデータベース（ＤＢ４０）及び従業員マスタ１３の例について図を用いて説明する。
【００５６】
図４は、本発明におけるデータベースと従業員マスタのデータ例について説明するための図である。なお、図４（ａ）は、コミュニティサーバ１１が有するＤＢ４０を示し、図４（ｂ）は、従業員マスタ１３を示している。
【００５７】
図４（ａ）に示すＤＢ４０は、一例として、後述する手順にて生成されるコミュニティ毎に配列されたものであり、「コミュニティ名」、「カテゴリ」、「従業員番号」、「所属」、「氏名」、「役割」等の項目からなる。
【００５８】
ここで、カテゴリとは、コミュニティ内で更にグループ分けするための識別情報であり、１つのコミュニティに対して複数のグループを設定することができる。また、１つのカテゴリをカテゴリ１、カテゴリ２、カテゴリ３、・・・、等のように複数のカテゴリにグループ分けすることもできる。また、従業員番号は、メンバーを識別するための識別情報であり、従業員マスタにも存在する。この従業員番号に基づいてメンバー情報の照合を行う。また、役割とは、そのコミュニティ内での役割を示すものである。コミュニティサーバ１１は、この「役割」の情報に基づいてシステム管理者、コミュニティ管理者用に対応する画面を利用者端末１２に提供する。
【００５９】
また、上述以外にＤＢ４０に蓄積される情報としては、従業員が利用者端末１２からコミュニティサーバ１１にアクセスする際に行われる認証処理におけるユーザＩＤ及びパスワード等の認証情報等がある。
【００６０】
一方、図４（ｂ）に示す従業員マスタは、「従業員番号」、「所属」、「氏名」、「メールアドレス」、「住所」、「電話番号」等の項目からなる。この従業員マスタは、例えば企業内の人事部門等が管理するものであり、人事異動等の変更があった場合には、迅速に変更されるデータベースである。上述のデータ等を用いて本発明におけるコミュニティの生成、管理等を実現することができる。
【００６１】
＜画面インターフェース＞
次に、コミュニティサーバ１１が利用者端末１２に提供する本発明における画面インターフェースの例について図を用いて説明する。
【００６２】
まず、利用者端末１２は、コミュニティサーバ１１にアクセス要求すると、認証手段３１により認証処理が行われる。このときの画面は、一般的に用いられている従業員番号等のユーザＩＤやパスワードを入力させる画面である。この画面に基づいて認証されたユーザがコミュニティサーバ１１にアクセスすることができる。また、予め設定されるユーザに対する権限に基づいて、システム管理者、コミュニティ管理者、一般利用者に対するそれぞれの画面が表示される。
【００６３】
＜コミュニティ設定＞
図５は、コミュニティの設定登録画面の一例を示す図である。なお、図５に示す画面は、ユーザ認証により認証された利用者情報がシステム管理者である場合に表示される画面である。
【００６４】
ここで、認証手段３１により認証された利用者情報がシステム管理者の権限を有する場合は、例えば、トップページ画面に表示される「コミュニティ管理」、「メンバー管理」、「掲示板管理」、「予定管理」、「ライブラリ管理」、「会議室テーマ管理」等のメニューから設定を行う管理内容を選択することにより対応する画面フォームが表示される。システム管理者は、表示されたフォームに基づいてコミュニティの設定を行う。
【００６５】
図５に示すコミュニティ管理画面５０において、システム管理者は依頼部門等からの依頼内容（要求）に基づいてコミュニティ基本情報設定領域５１に設定を行う。具体的は、コミュニティ名、コミュニティ管理者名（又はユーザを識別するためのユーザＩＤ等の識別情報）、コミュニティの活動内容（概要）について設定する。
【００６６】
次に、メンバー管理領域５２にメンバーのみ利用することが可能なコミュニティとするかをチェックボックスにより設定する。また、メール送信機能設定領域５３に全員が利用可能とするか、管理者（システム管理者及び／又はコミュニティ管理者）のみが利用可能とするかをラジオボタンにより設定する。
【００６７】
次に、掲示板設定領域５４について、利用するか、更新等があった場合にメンバーにメールで通知するか、管理者だけが投稿できるようにするか、メンバーカテゴリ別表示を行うか等を設定する。ここで、メンバーカテゴリとは、メンバー毎の種別を表すものであり、一般利用者において、コミュニティ内でもカテゴリ毎に表示させることで、メンバー毎に対応した表示を行うことができる。
【００６８】
また、行事予定設定領域５５は、行事予定機能を利用するか、変更、更新等をメールで通知するか等を設定する。また、ライブラリ設定領域５６は、ライブラリ機能を利用するか、変更、更新等をメンバーにメールで通知するか等の設定を行う。
【００６９】
また、関連リンク設定領域５７は、関連リンクを利用するか、変更、更新等をメンバーにメールで通知するか等を設定する。電子会議室設定領域５８は、電子会議室を利用するか、利用した場合に匿名入力を認めるか等の設定を行う。
【００７０】
また、メール内ＵＲＬ表示設定領域５９によりメンバーに送信するメール内にＵＲＬを表示するかを設定する。また、メール内同報宛先表示設定領域６０によりメール内の同報宛先表示をするかを設定する。また、メール添付ファイル設定領域６１によりメンバーに送信されるメールにファイルの添付を認めるか等を設定する。また、上述について設定が終了後、登録ボタン６２を選択することにより、上述で設定された条件に基づいてコミュニティが生成される。
【００７１】
生成されたコミュニティは、コミュニティリストとしてコミュニティ表示領域６３に表示される。ここでは、管理者名や、利用状況（アクセス数）、メンバー管理、メール送信、掲示板、行事、ライブラリ、関連リンク、会議室等の上述した設定条件に基づく機能の有無等（図５において、機能有りは○）が表示されている。また、生成されたコミュニティの内容を修正又はコミュニティを削除する場合には、「修正」ボタン又は「削除」ボタン等の処理ボタン６４により修正、削除を行う。また、上述の処理により登録、更新等された情報は、ＤＢ４０に蓄積される。
【００７２】
＜メンバー登録＞
次に、システム管理者権限時におけるメンバー登録画面例について説明する。図６は、システム管理者権限時におけるメンバー登録画面例を示す一例の図である。図６に示すように、システム管理者権限時のメンバー登録を行う場合、メンバー登録画面７０に基づいて、メンバーの登録や設定の変更を行う。
【００７３】
まず、メンバー登録フォーム７０のコミュニティ選択領域７１に現時点で存在する全てのコミュニティが表示される。システム管理者は、コミュニティ選択領域７１からメンバーの登録又は変更等を行うコミュニティを選択する。次に、コミュニティを選択後、利用者情報設定領域７２により、登録するメンバーの従業員番号（識別情報）を設定し、カテゴリ設定領域７３により設定されるメンバーのカテゴリを設定する。ここでは、社長、本店経営管理部、製造部、プロジェクトメンバー等の分類分けを行う。次に、登録するメンバーをコミュニティ管理者とする場合には、管理者区分設定領域７４の設定区分をチェックする。
【００７４】
その後、登録ボタン７５を選択することにより、コミュニティメンバー一覧表示７６にコミュニティにメンバーとして表示される。
【００７５】
また、コミュニティメンバー一覧表示７６に表示されるメンバーリストの項目としては、コミュニティの各カテゴリ毎にメンバーの「従業員番号」、誰が管理者をしているか等の役割を表示する「役割」、「所属」、「氏名」、「処理」等である。
【００７６】
ここで、メンバーの所属に対して、人事異動等により変更がある場合には人事異動情報を表示し、管理者にアラート等を表示してシステム管理者に管理しやすい画面を提供する。
【００７７】
ここで、アラートの表示としては、例えば所属先が異動により変更する場合は、システム管理者に容易に把握できるようにするため、異動後の所属先を赤字により表示したり、点滅、ハイライト等の強調表示を行う。
【００７８】
具体的に説明すると、図６において、従業員番号ＡＡ００１は、所属が“本社営業３部”から“本社営業推進部”に異動しているとする。この場合に“→本社営業推進部”が赤字等により行事される。この場合、システム管理者は「処理」に設けられた、「修正」ボタン、「削除」ボタンを選択することにより対象メンバーの設定が変更される。例えば、所属が変更されても、異動前の業務を継続する場合もあるので、その場合には、システム管理者は利用者端末１２により「修正」ボタンを選択することにより、所属の変更が行われて、コミュニティのメンバーに含まれることになる。なお、異動前の所属はＤＢ４０に蓄積されているメンバー情報であり、新しい異動後の所属は従業員マスタ１３の従業員情報である。従業員マスタ１３の情報は迅速に変更されていることが一般的であるため、この情報に基づいてシステム管理者も迅速に異動に対応したメンバーの管理を実施することができる。なお、アラート表示は、所属に限らず、例えば、名字が変更された場合には、氏名の表示部分がアラート表示される。
【００７９】
このように、メンバー登録フォーム７０により、システム管理者はメンバーの登録や変更を容易に行うことができる。
【００８０】
＜掲示板登録＞
次に、システム管理者における掲示板登録画面例について図を用いて説明する。図７は、掲示板登録画面の一例を示す図である。図７に示すように、システム管理者権限時の掲示板登録を行う場合、掲示板登録画面８０に基づいて掲示板の登録を行う。
【００８１】
まず、掲示板登録８０のコミュニティ選択領域８１に現時点で存在する全てのコミュニティが表示される。システム管理者は、コミュニティ選択領域８１から掲示板を登録するコミュニティを選択する。次に、コミュニティを選択後、掲示板の掲載期間設定領域８２に期間設定する。また、タイトル設定領域８３に掲示板のタイトルを設定する。また、内容設定領域８４に掲示板の趣旨や内容を記載する。また、添付ファイル設定領域８５に掲示板に添付するファイルの設定を行う。
【００８２】
上述に示す設定等が終了後、登録ボタン８６を選択することにより、掲示板の設定が完了し、その内容がＤＢ４０に蓄積される。
【００８３】
＜予定登録＞
次に、システム管理者における予定登録画面について図を用いて説明する。図８は、予定登録画面の一例を示す図である。図８に示すように、システム管理者権限時の予定（スケジュール）登録を行う場合、予定登録画面９０に基づいて予定の登録を行う。
【００８４】
まず、予定登録画面９０のコミュニティ選択領域９１に現時点で存在する全てのコミュニティが表示される。システム管理者は、コミュニティ選択領域９１から予約の登録を行うコミュニティを選択する。次に、コミュニティを選択後、カテゴリ選択領域９２によりコミュニティのカテゴリ毎に表示の有無を設定する。
【００８５】
更に、予約設定領域９３により、予約日時（日付、時刻）、タイトル、場所、内容、対象者等を設定する。なお、予約登録を行う場合は、認証手段３１による認証時に得られた利用者情報に基づいて、登録者が自動的に設定される。また、予約情報をメールで通知するかをメール情報設定領域９４により設定する。具体的には、メールの送信の有無、メール本文、送信対象者の設定等を行う。
【００８６】
上述の設定が終了後、登録ボタン９５を選択することにより予約情報がコミュニティサーバ１１に登録され、同時に予約情報一覧表示９６にコミュニティ毎の予約情報（テーマ名、日付等）が表示される。ここで、既に登録された予約情報を修正及び削除をする場合には、「修正」又は「削除」等からなる処理ボタン９７を選択することにより設定を行う。ここで、設定された内容は、ＤＢ４０に蓄積される。
【００８７】
＜会議室テーマ管理＞
次に、システム管理者における会議室テーマの管理を行う会議室テーマ管理登録画面について図を用いて説明する。図９は、会議室テーマ管理画面の一例を示す図である。図９に示すように、システム管理者権限時の会議室テーマ管理登録を行う場合、会議室テーマ管理画面１００に基づいて予定の登録を行う。
【００８８】
まず、会議室テーマ管理フォーム１００のコミュニティ選択領域１０１に現時点で存在する全てのコミュニティが表示される。システム管理者は、コミュニティ選択領域１０１から予約の登録を行うコミュニティを選択する。次に、コミュニティを選択後、テーマ設定領域１０２に選択されたコミュニティに関する会議室のテーマの設定を行う。具体的には、テーマ名と、その会議室テーマの表示順（優先度）を設定する。
【００８９】
次に、上述の設定が終了後、登録ボタン１０３を選択することにより、会議室テーマが設定され、会議室テーマ一覧表示領域１０４にテーマが表示されることになる。
【００９０】
会議室テーマ一覧表示領域１０４には、コミュニティ毎の会議室毎の各テーマが表示される。具体的には、コミュニティ毎の「表示順」、「テーマ名」、「内部コード」、「処理」が表示される。ここで、「内部ＣＯＤＥ」とは、登録ボタン１０３を選択した際に割り振られる番号である。
【００９１】
また、会議室のテーマを修正又は削除したい場合には、「修正」ボタン又は「削除」ボタン等の処理ボタン１０５を選択することにより、容易に設定することができる。ここで、設定された内容は、ＤＢ４０に蓄積される。
【００９２】
上述したようなシステム管理者用の登録・管理画面を用いることで、システム管理権限によりコミュニティの生成を容易に行うことができる。更に、メンバーが人事異動や退職等をした場合に異動対象者をアラート表示することにより、管理者等に変更を促すことができる。
【００９３】
＜コミュニティ管理＞
次に、コミュニティ管理者及び一般利用者の権限を有する利用者における画面例について図を用いて説明する。
【００９４】
図１０は、コミュニティ管理者のトップページ画面の一例を示す図である。図１０に示すトップページ画面１１０は、メニュー表示領域１１１と、コミュニティ情報表示領域１１２と、関連情報表示領域１１３と有している。表示領域１１１には、利用者の権限に対応したコミュニティの条件に基づいて各種項目を表示する。コミュニティ利用者又は一般利用者毎にトップページが面１１０に表示される項目を選択することにより、対応する画面へ遷移することができる。
【００９５】
また、コミュニティ情報表示領域１１２は、上述の図５にて設定したコミュニティ名、管理者、コミュニティの活動内容等を表示する。また、関連情報表示領域１１３は、当該コミュニティについて、掲示板の新着情報や予定一覧等を表示する。例えば、図１０では、既に予定されている今後５日間の予定が表示されている。このようにトップページ画面１１０に関連情報表示領域１１３を表示させることで、利用者は、変化のあった情報を迅速に把握することができる。
【００９６】
＜メンバー一覧＆メール設定＞
次に、コミュニティ管理者及び一般利用者の権限を有する利用者におけるメンバー一覧及びメール設定画面例について図を用いて説明する。図１１は、メンバー一覧及びメール設定画面の一例を示す図である。図１１に示すメンバー一覧及びメール設定画面１２０は、メール設定領域１２１と、メンバー一覧表示領域１２２とに大別される。
【００９７】
メール設定領域１２１は、宛先をメンバー一覧表示領域１２２に表示されるメンバーから選択する。また、メール設定領域１２１は、認証手段３１による認証時に入力した利用者情報に基づく送信者（メールアドレス）を設定する。具体的には、メールのタイトル及びメッセージを入力する。
【００９８】
また、メンバー一覧表示画面１２２は、当該コミュニティに該当するメンバーを“事務局”、“責任者”等のカテゴリ毎に表示することができる。このとき、メールの送信者の設定を行うためにメンバー毎にチェックボックス１２３が設けられているため、ボックスにチェックすることによりメールアドレスをＤＢ４０より受信して宛先に設定して出力する。なお、予めメンバー全員をチェックさせておき、そこからチェックを外すことで宛先の設定を行ってもよい。また、送信ボタン１２４を選択することで、チェックされた対象メンバーにメールの送信を行う。
【００９９】
＜メンバー登録＞
次に、コミュニティ管理者の権限を有する利用者におけるメンバー登録画面例について、図を用いて説明する。図１２は、コミュニティ管理者におけるメンバー登録画面の一例を示す図である。図１２に示すメンバー登録画面１３０は、当該コミュニティに対して、新規メンバーの登録、修正、削除を行うものである。具体的には、メンバー登録領域１３１と、コミュニティメンバー一覧表示領域１３２に大別できる。
【０１００】
メンバー登録領域１３１は、メンバーを特定する種別である従業員番号と、メンバーのカテゴリ（分類分け）と、そのメンバーを管理者とするかを設定する管理者区分とを有している。設定が終了後、登録ボタン１３３を選択することで、コミュニティメンバー一覧表示領域１３２に設定した内容が表示される。
【０１０１】
また、コミュニティメンバー一覧表示領域１３２は、上述の図６に示したように項目としては、コミュニティの各カテゴリ毎にメンバーの「従業員番号」、「役割」、「所属」、「氏名」、「処理」等からなる。
【０１０２】
ここで、メンバーの所属に対して、人事異動等により変更がある場合には人事異動情報を表示し、管理者にアラート等を表示してコミュニティ管理者に管理しやすい画面を提供する。つまり、図６に示すように所属の変更があった場合には、アラートが変更されるため、具体的には、コミュニティ管理者は、「処理」に設けられた、「修正」ボタン、「削除」ボタンからなる処理ボタン１３４を選択することにより、対象メンバーの設定が変更される。例えば、所属が変更されても、移動前の業務を継続する場合もあるので、その場合には、コミュニティ管理者は利用者端末１２により「修正」ボタンを選択することにより、所属の変更が行われて、コミュニティのメンバーに含まれることになる。
【０１０３】
＜カテゴリ管理＞
次に、カテゴリ管理画面について図を用いて説明する。図１３は、カテゴリ管理画面の一例を示す図である。図１３に示すカテゴリ管理設定画面１４０は、カテゴリ設定領域１４１とカテゴリ表示領域１４２とに大別される。カテゴリ設定領域１４１は、カテゴリ名と表示順（優先度）を設定する。また、設定後、登録ボタン１４３を選択することにより、カテゴリ表示領域１４２にカテゴリが表示される。また、設定されたカテゴリの変更を行う場合は、「修正」ボタン、「削除」ボタン等の処理ボタン１４４により変更、削除を行う。
【０１０４】
＜掲示板登録＞
次に、コミュニティ管理者及び一般利用者の権限を有する利用者における掲示板登録画面例について図を用いて説明する。
【０１０５】
図１４は、掲示板登録画面の一例を示す図である。図１４に示す掲示板登録画面１５０は、掲示板登録設定領域１５１に、掲載期間、タイトル、内容、添付ファイルを設定する。また、掲載者は、認証手段３１による利用者情報により取得できる。
【０１０６】
また、設定終了後、登録ボタン１５２を選択することにより、ＤＢ４０に設定が登録される。また、この掲示板の一覧等は、上述した図１０に示すトップページに表示させることで、利用者は掲示板の情報を迅速に把握することができる。
【０１０７】
＜ライブラリ登録＞
次に、コミュニティ管理者及び一般利用者の権限を有する利用者におけるライブラリ登録画面例について図を用いて説明する。
【０１０８】
図１５は、ライブラリ登録画面の一例を示す図である。図１５に示すライブラリ登録画面１６０は、ライブラリ登録設定領域１６１に、カテゴリ１、カテゴリ３、タイトル、内容、添付ファイルを設定する。また、掲載者は、認証手段３１による利用者情報により取得できる。設定終了後、投稿ボタン１６２を選択することにより、ＤＢ４０に設定が登録される。また、このライブラリ登録の一覧は、図１６に示すように表示される。図１６は、ライブラリ一覧画面の一例を示す図である。
【０１０９】
図１６に示すように、ライブラリ一覧画面１７０は、ライブラリに登録された情報が、最新の順に各ライブラリ毎ように表示される。これにより、コミュニティ管理者及び一般利用者は、所望するライブラリ情報を容易に取得することができる。
【０１１０】
上述したような、画面を利用者端末に提供することにより、利用者に高精度で使用しやすいコミュニティの場を提供することができる。特に、メンバー管理においては、従業員マスタ１３を参照して最新の従業員情報を取得することができ、更に、取得した従業員情報に人事異動等が存在するな場合にアラート表示により、システム管理者、コミュニティ管理者に高精度で迅速な処理を提供することができる。
【０１１１】
なお、本発明においてコミュニティサーバ１１から利用者端末１２へ提供される画面については上述以外にも関連リンク表示等が含まれる。
【０１１２】
なお、上述したようにコミュニティサーバ１１は、専用の装置構成により制御を行うこともできるが、上述したような各機能をコンピュータに実行させることができる実行プログラムを生成し、例えば、汎用のパーソナルコンピュータ、ワークステーション等にプログラムをインストールすることにより、本発明におけるコミュニティ生成、管理を実現することができる。
【０１１３】
次に、実行プログラムにおける処理手順について、フローチャートを用いて説明する。なお、以下の処理手順は、特に本発明のコミュニティサーバ１１におけるコミュニティのメンバー表示に関する処理手順について説明する。
【０１１４】
＜メンバー表示処理手順＞
図１７は、メンバー表示処理手順を示す一例のフローチャートである。まず、利用者端末１２からコミュニティサーバ１１へアクセス要求があった場合に認証処理を行う（Ｓ０１）。なお、Ｓ０１の認証処理については、入力されるユーザＩＤ（従業員番号）及びパスワードについて、コミュニティサーバ内のＤＢ４０に蓄積されている利用者情報（メンバー情報）と照合し、一致している場合にはその情報が出力される。また、Ｓ０１において、認証できなかった場合は、予め設定された回数分の再入力を認めた後、入力内容が利用者情報と一致しなければ、利用を拒否する等の処理が行われる。
【０１１５】
また、Ｓ０１において認証できた場合、権限に対応する上述した各種画面を利用者端末１２に表示する（Ｓ０２）。なお、複数のコミュニティに参加している場合には、最初にコミュニティを選択させる画面を表示させて、利用者により選択されたコミュニティを表示させることもできる。また、複数のコミュニティをＷｅｂブラウザ上の別フレーム、又は別画面等で同時に表示させることもできる。
【０１１６】
次に、コミュニティ生成、管理、及び利用において、メンバー一覧表示等のメンバーの表示が必要となる画面が指定された場合（Ｓ０３）、アクセスしている利用者がシステム権限又はコミュニティ管理者権限を有するものであるかを判断する（Ｓ０４）。
【０１１７】
ここで、システム管理者権限又はコミュニティ管理者権限でなかった場合（Ｓ０４において、ＮＯ）、一般利用者であるためメンバーの表示のみを行う（Ｓ０５）。
【０１１８】
また、Ｓ０４において、システム管理者権限又はコミュニティ管理者権限である場合（Ｓ０４において、ＹＥＳ）、通信ネットワーク１４を介して接続されている従業員マスタ１３を参照し（Ｓ０５）、従業員マスタ１３と表示されるメンバーとの照合を行う（Ｓ０６）。Ｓ０６により、ユーザ識別情報（従業員番号）を基準に照合を行い、所属や氏名等に変更があるかを判断する（Ｓ０７）。ここで、変更がなかった場合（Ｓ０７において、ＮＯ）、対応するメンバーの情報を出力する（Ｓ０８）。また、所属等に変更があった場合（Ｓ０７において、ＹＥＳ）、対応するメンバーに対して上述したようなアラート表示を行って、画面に表示する（Ｓ０９）。
【０１１９】
これにより、システム管理者又はコミュニティ管理者は、容易で迅速、かつ高精度にメンバーの管理を実現することができる。また、特別な装置構成を必要とせず、低コストでメンバー管理を実現することができる。また、プログラムをインストールすることにより、容易にコミュニティの生成、管理を実現することができる。
【０１２０】
上述したように本発明によれば、コミュニティの生成を容易に行うことができ、更に、メンバーの管理を高精度に行うことができる。このように、本システムを導入することにより、例えば、「部門ホームページを開設したい」、「プロジェクトメンバー内で情報を共有したい」等といった依頼が発生する都度、準備から開発、利用開始までの一連の作業が迅速に行うことができる。
【０１２１】
また、Ｗｅｂ等によって情報共有はしたいが、具体的なイメージに発展できないエンドユーザに対して、「試用」という形式でコミュニティを開放し、本来的に必要なシステムを作成コストをかけずに提供することができる。
【０１２２】
以上本発明の好ましい実施例について詳述したが、本発明は係る特定の実施形態に限定されるものではなく、特許請求の範囲に記載された本発明の要旨の範囲内において、種々の変形、変更が可能である。
【図面の簡単な説明】
【０１２３】
【図１】本発明におけるコミュニティ管理システムの概略構成例である。
【図２】本発明におけるコミュニティの生成・管理、及び利用が実現可能なハードウェア構成の一例を示す図である。
【図３】本実施形態におけるコミュニティサーバ１１の機能構成の一例を示す図である。
【図４】本発明におけるデータベースと従業員マスタのデータ例について説明するための図である。
【図５】コミュニティの設定登録画面の一例を示す図である。
【図６】システム管理者権限時におけるメンバー登録画面例を示す一例の図である。
【図７】掲示板登録画面の一例を示す図である。
【図８】予定登録画面の一例を示す図である。
【図９】会議室テーマ管理画面の一例を示す図である。
【図１０】コミュニティ管理者のトップページ画面の一例を示す図である。
【図１１】メンバー一覧及びメール設定画面の一例を示す図である。
【図１２】コミュニティ管理者におけるメンバー登録画面の一例を示す図である。
【図１３】カテゴリ管理画面の一例を示す図である。
【図１４】掲示板登録画面の一例を示す図である。
【図１５】ライブラリ登録画面の一例を示す図である。
【図１６】ライブラリ一覧画面の一例を示す図である。
【図１７】メンバー表示処理手順を示す一例のフローチャートである。
【符号の説明】
【０１２４】
１０  コミュニティ管理システム
１１  コミュニティサーバ
１２  利用者端末
１３  従業員マスタ
１４  通信ネットワーク
２１  入力装置
２２  出力装置
２３  ドライブ装置
２４  補助記憶装置
２５  メモリ装置
２６  ＣＰＵ
２７  ネットワーク接続装置
２８  記録媒体
３１  認証手段
３２  コミュニティ管理手段
３３  メンバー管理手段
３４  メール生成手段
３５  掲示板管理手段
３６  予定管理手段
３７  ライブラリ管理手段
３８  関連リンク管理手段
３９  会議室管理手段
４０  データベース（ＤＢ）
５０  コミュニティ管理画面
７０  メンバー登録画面
８０，１５０  掲示板登録画面
９０  予定登録画面
１００  会議室テーマ管理画面
１１０  トップページ画面
１２０  メンバー一覧及びメール設定画面
１３０  メンバー登録画面
１４０  カテゴリ管理設定画面
１６０  ライブラリ登録画面
１７０  ライブラリ一覧画面
【図１】
2006107282.tif 000003
【図２】
2006107282.tif 000004
【図３】
2006107282.tif 000005
【図４】
2006107282.tif 000006
【図５】
2006107282.tif 000007
【図６】
2006107282.tif 000008
【図７】
2006107282.tif 000009
【図８】
2006107282.tif 000010
【図９】
2006107282.tif 000011
【図１０】
2006107282.tif 000012
【図１１】
2006107282.tif 000013
【図１２】
2006107282.tif 000014
【図１３】
2006107282.tif 000015
【図１４】
2006107282.tif 000016
【図１５】
2006107282.tif 000017
【図１６】
2006107282.tif 000018
【図１７】
2006107282.tif 000019